(57)【特許請求の範囲】
【請求項１】
軸方向に貫通孔が形成された回転操作部材と、
この回転操作部材の前記貫通孔内に移動可能で、前記貫通孔の一方の開口から押圧操作可能で、且つ前記一方の開口には抜止め鍔部が設けられ、前記抜止め鍔部に当接するストッパ部を有することで前記貫通孔の前記一方の開口から抜け出さないように設けられていると共に、前記回転操作部材を回転させた際に前記回転操作部材と共に一体的に回転する押圧操作部材と、
前記回転操作部材の前記貫通孔に配置され、前記押圧操作部材を前記一方の開口の方向に向けて付勢するコイルばねと、
このコイルばねにおける一方の開口側に位置する端部に設けられ、前記回転操作部材を回転させた際に前記コイルばねを回転方向に滑らせる滑り部材と、
を備えていることを特徴とするスイッチ装置。
【請求項２】
前記滑り部材は、前記コイルばねにおける前記一方の開口側に位置する端部に設けられた表面処理層であることを特徴とする請求項１に記載のスイッチ装置。
【請求項３】
軸方向に貫通孔が形成された回転操作部材と、
この回転操作部材の前記貫通孔内に移動可能で、前記貫通孔の一方の開口から押圧操作可能で、且つ前記一方の開口には抜止め鍔部が設けられ、前記抜止め鍔部に当接するストッパ部を有することで前記貫通孔の前記一方の開口から抜け出さないように設けられていると共に、前記回転操作部材を回転させた際に前記回転操作部材と共に一体的に回転する押圧操作部材と、
前記回転操作部材の前記貫通孔に配置され、前記押圧操作部材を前記一方の開口の方向に向けて付勢するコイルばねと、
このコイルばねにおける一方の開口側に位置する端部に設けられ、前記コイルばねが弾接する摩擦係数の小さいフッ素系やポリエチレン系などの合成樹脂で形成された受け部材と、
を備えていることを特徴とするスイッチ装置。
【請求項４】
前記押圧操作部材と機能操作部材とを間欠的に連結する連結部材を備え、この連結部材は、前記押圧操作部材が前記回転操作部材と共に前記一方の開口の方向に向けてスライドする際に、前記押圧操作部材のスライド距離が予め定められた距離に到達するまでは連動せず、前記スライド距離が予め定められた距離に到達した後に連動して前記機能操作部材をスライドさせ、この状態で前記押圧操作部材が押圧操作された際に、この押圧操作された押圧操作部材と連動せず、また前記押圧操作部材が前記回転操作部材によって前記一方の開口の方向とは逆の方向に向けて押し込まれた状態のときに、前記押圧操作部材の押圧操作に連動して前記機能操作部材をスライドさせること特徴とする請求項１〜３のいずれかに記載のスイッチ装置。
【発明の詳細な説明】
【技術分野】
【０００１】
この発明は、電子腕時計などの電子時計に用いられるスイッチ装置に関する。
【背景技術】
【０００２】
従来、電子腕時計においては、特許文献１に記載されているように、時刻を修正する際に、巻真を所定位置に引き出して回転させることにより、指針を運針させるスイッチ装置を備えた構成のものが知られている。
【先行技術文献】
【特許文献】
【０００３】
【特許文献１】実開昭５０−４７６５号公報
【０００４】
この種のスイッチ装置は、腕時計ケースにその内部と外部とに貫通して設けられたガイドパイプ内に巻真をスライドおよび回転可能な状態で取り付け、この巻真の外端部に押圧操作部を一体的に設けると共に、この押圧操作部の外周に竜頭である円筒形状の回転操作部材をスライド可能で且つ回転可能に取り付けた構成になっている。
【０００５】
このようなスイッチ装置では、回転操作部材が押し込まれた通常運針状態で、押圧操作部が回転操作部材から外部に露出し、この露出した押圧操作部を押圧することにより、スイッチを動作させることができ、また時刻を修正する際に、回転操作部材を引き出すと、押圧操作部が回転操作部材内に沈み込み、この状態で回転操作部材を回転させることにより、指針を運針させることができる。
【０００６】
しかしながら、このような従来のスイッチスイッチ装置では、回転操作部材が押し込まれた通常運針状態で、押圧操作部を押圧操作することができても、回転操作部材を引き出した際に、押圧操作部が回転操作部材の引出し操作に連動してスライドしないため、押圧操作部が回転操作部材内に沈み込んでしまい、スイッチ装置として、違和感が生じ、デザイン的に好ましくないという問題がある。
【発明の概要】
【発明が解決しようとする課題】
【０００７】
そこで、このような問題を解消するために、回転操作部材を引き出した際に、押圧操作部を回転操作部材の引出し操作に連動してスライドさせることにより、押圧操作部が回転操作部材内に沈み込まないようにしたスイッチ装置が開発されている。このようなスイッチ装置は、回転操作部材の引出し操作に応じて押圧操作部を回転操作部材と共に移動させるためのコイルばねを備えた構成になっている。
【０００８】
すなわち、このスイッチ装置では、押圧操作部を巻真から切り離した状態で巻真と連動可能に連結すると共に、押圧操作部の外端部である頭部に回転操作部材からの抜け出しを阻止するためのストッパ部を設け、この押圧操作部の頭部の内面と腕時計ケース側に位置するガイドパイプの外端面との間にコイルばねを配置し、このコイルばねのばね力によって押圧操作部に安定した押圧荷重を付与して、押圧操作部が回転操作部材内に沈み込まないように構成されている。
【０００９】
しかしながら、このような構成のスイッチ装置では、押圧操作部の頭部の内面とガイドパイプの外端面との間にコイルばねを配置し、このコイルばねによって押圧操作部に安定した押圧荷重を付与して、押圧操作部が回転操作部材内に沈み込まないようにしているため、コイルばねの両端部が当接する押圧操作部の頭部の内面およびガイドパイプの外端面とにおける各当接面の摩擦抵抗が大きいと、回転操作部材を押圧操作部と共に回転させた際に、コイルばねのばね力によって回転操作部材および押圧操作部が円滑に回転しないという問題が生じる。
【００１０】
この発明が解決しようとする課題は、コイルばねを備えていても、回転操作性が良く、回転操作部材および押圧操作部材を円滑に回転させることができるスイッチ装置を提供することである。
【課題を解決するための手段】
【００１１】
本発明は、軸方向に貫通孔が形成された回転操作部材と、この回転操作部材の前記貫通孔内に移動可能で、前記貫通孔の一方の開口から押圧操作可能で、且つ前記一方の開口には抜止め鍔部が設けられ、前記抜止め鍔部に当接するストッパ部を有することで前記貫通孔の前記一方の開口から抜け出さないように設けられていると共に、前記回転操作部材を回転させた際に前記回転操作部材と共に一体的に回転する押圧操作部材と、前記回転操作部材の前記貫通孔に配置され、前記押圧操作部材を前記一方の開口の方向に向けて付勢するコイルばねと、このコイルばねにおける一方の開口側に位置する端部に設けられ、前記回転操作部材を回転させた際に前記コイルばねを回転方向に滑らせる滑り部材と、を備えていることを特徴とするスイッチ装置である。
【発明の効果】
【００１５】
この発明によれば、回転操作部材と共に回転する押圧操作部材がコイルばねのばね力によって回転操作部材の一方の開口方向に向けて付勢されていても、回転操作部材を回転操作する際に、コイルばねが回転方向に沿って滑るので、回転操作部材を押圧操作部材と共に円滑に回転させることができる。このため、コイルばねを備えていても、回転操作性が良く、回転操作部材および押圧操作部材を円滑に回転させることができる。
【図面の簡単な説明】
【００１６】
【図１】この発明を指針式の電子腕時計に適用した一実施形態を示した正面図である。
【図２】図１に示された電子腕時計のＡ−Ａ矢視における要部を示した拡大断面図である。
【図３】図２に示された押圧操作部材を示し、（ａ）はその下側半分を断面で示した拡大正面図、（ｂ）はその右側面図である。
【図４】図２に示された連結部材を示し、（ａ）はその拡大斜視図、（ｂ）はその下側半分を断面で示した拡大正面図である。
【図５】図２に示された回転操作部材を示し、（ａ）はその拡大断面図、（ｂ）はその右側面図である。
【図６】図２に示された連動パイプを示し、（ａ）はその下側半分を断面で示した拡大正面図、（ｂ）はその右側面図である。
【図７】図２に示された滑り部材を示した拡大正面図である
【図８】図２に示されたスイッチ装置のＢ−Ｂ矢視における位置規制部材を示した要部の拡大裏面図である。
【図９】図２に示された電子腕時計のスイッチ装置においてガイドパイプに対する回転操作部材のロックを解除した状態を示した要部の拡大断面図である。
【図１０】図９に示されたスイッチ装置において回転操作部材を更に引き出して時刻を修正する状態を示した要部の拡大断面図である。
【図１１】図２に示されたスイッチ装置の通常運針状態において押圧操作部材を押圧操作した状態を示した要部の拡大断面図である。
【図１２】図８に示された位置規制部材において巻真が引き出されて時刻を修正する状態を示した拡大平面図である。
【図１３】図８に示された位置規制部材の通常運針状態において押圧操作部材が押圧操作されて巻真が押し込まれた状態を示した拡大平面図である。
【発明を実施するための形態】
【００１７】
以下、図１〜図１３を参照して、この発明を指針式の電子腕時計に適用した一実施形態について説明する。
この電子腕時計は、図１および図２に示すように、腕時計ケース１を備えている。この腕時計ケース１の上部開口部には、時計ガラス２がパッキン２ａを介して取り付けられており、この腕時計ケース１の下部には、裏蓋３が防水リング３ａを介して取り付けられている。
【００１８】
また、この腕時計ケース１の内部には、図２に示すように、時計モジュール４が設けられている。この時計モジュール４は、図１および図２に示すように、ハウジング５を備えている。このハウジング５には、指針６を運針する時計ムーブメント（図示せず）と、時刻を修正するためのスイッチ装置７とが設けられている。この場合、指針６は、時針６ａ、分針６ｂ、秒針６ｃ、機能針６ｄを有し、これらが同一軸上に位置する各指針軸８に取り付けられ、これら各指針軸８の回転に伴って運針するように構成されている。
【００１９】
また、時計モジュール４のハウジング５の上面には、図２に示すように、光透過性を有する文字板１０が設けられており、この文字板１０の上面には、リング状の見切部材１１が設けられている。また、文字板１０の下面には、外部光を受光して発電するソーラーパネル１２が押え板１３によって設けられている。
【００２０】
さらに、時計モジュール４のハウジング５の下面には、図２に示すように、時計全体の駆動およびその制御をするための回路基板１４が配置されている。また、このハウジング５は、腕時計ケース１内の下部に固定された押えリング１５によって、ハウジング５の下面が押えられた状態で腕時計ケース１内に配置されている。
【００２１】
一方、スイッチ装置７は、図２に示すように、巻真１６と、押圧操作部材１７と、回転操作部材１８とを備えている。巻真１６は、その内端部（図２では左端部）が時計モジュール４のハウジング５内に回転可能で且つスライド可能な状態で配置され、外端部（図２では右端部）が腕時計ケース１の側壁部１ａにその内部と外部とに貫通して設けられたガイドパイプ２０内に挿入されている。
【００２２】
押圧操作部材１７は、図２に示すように、その内端部（図２では左端部）がガイドパイプ２０内において巻真１６の外端部に連結部材２１によって連結され、外端部（図２では右端部）が腕時計ケース１の外部に突出している。回転操作部材１８は、腕時計ケース１の外部に突出した押圧操作部材１７の外周部に、その軸方向に沿ってスライド可能で且つ押圧操作部材１７と共に一体的に回転可能な状態で、取り付けられている。
【００２３】
この場合、ガイドパイプ２０は、図２に示すように、段付きパイプであり、腕時計ケース１の側壁部１ａ内における内側（図２では左側）に位置する部分が小径部に形成され、腕時計ケース１の側壁部１ａ内における外側（図２では右側）に位置する部分が中間径部に形成され、さらに腕時計ケース１の外部に突出する部分が大径部に形成されている。この場合、中間径部は、その内径および外径が、大径部よりも小さく且つ小径部よりも大きく形成されている。
【００２４】
このガイドパイプ２０内には、図２に示すように、押圧操作部材１７が挿入されている。この押圧操作部材１７は、図２および図３に示すように、その外径がガイドパイプ２０の小径部の内径と同じ大きさに形成された軸部２２と、この軸部２２の外端部に形成されて軸部２２よりも大きい径の頭部２３とを備えている。
【００２５】
この押圧操作部材１７の軸部２２は、図２に示すように、そのガイドパイプ２０の中間径部に設けられて防水性を確保するための一対の防水リング２４を介してガイドパイプ２０内にスライド可能で且つ回転可能な状態で取り付けられている。この場合、軸部２２の内部には、図２および図３に示すように、断面四角形状の第１ガイド孔２２ａと、断面円形状の第２ガイド孔２２ｂとが、軸方向に沿って連続して設けられている。
【００２６】
この押圧操作部材１７と巻真１６とを間欠的に連結する連結部材２１は、図２および図４に示すように、巻真１６の外端部（図２では右端部）が螺入する円筒部２５と、断面四角形状の第１ガイド孔２２ａ内にスライド可能に配置される四角形状のガイド板２６と、断面円形状の第２ガイド孔２２ｂ内をスライドするガイド軸２７とを備えている。
【００２７】
この場合、円筒部２５の内部には、図２および図４に示すように、巻真１６の外端部に設けられたねじ部１６ａが螺入して取り付けられるねじ孔２５ａが設けられている。この円筒部２５の外端部（図４（ｂ）では右端面）には、四角形状のガイド板２６が設けられている。このガイド板２６の外端面（図４（ｂ）では右端面）には、ガイド軸２７が外部側（図４（ｂ）では右側）に向けて突出して設けられている。
【００２８】
これにより、連結部材２１は、図２および図４に示すように、巻真１６のねじ部１６ａが円筒部２５のねじ孔２５ａに螺入することにより、巻真１６に取り付けられ、この巻真１６と一体的に軸方向に沿ってスライドすると共に回転するように構成されている。また、この連結部材２１は、四角形状のガイド板２６が押圧操作部材１７の軸部２２に設けられた断面四角形状の第１ガイド孔２２ａ内をスライドすると共に、押圧操作部材１７の軸部２２と共に一体的に回転するように構成されている。
【００２９】
この場合、押圧操作部材１７の軸部２２の内端部（図３（ａ）では左端面）には、図２および図３（ａ）に示すように、断面四角形状の第１ガイド孔２２ａ内にスライド可能に配置された連結部材２１の四角形状のガイド板２６が第１ガイド孔２２ａ内から抜け出すのを防ぐための抜止め突起１７ａが設けられている。
【００３０】
また、押圧操作部材１７の軸部２２の第１ガイド孔２２ａ内には、図２に示すように、ワッシャー２８が抜止め突起１７ａと連結部材２１のガイド板２６との間に配置されている。さらに、この押圧操作部材１７の軸部２２の第２ガイド孔２２ｂ内には、図２に示すように、補助コイルばね２９が配置されている。この補助コイルばね２９は、その内部に連結部材２１のガイド軸２７が挿入した状態で、四角形状のガイド板２６を腕時計ケース１の内部側（図２では左側）に向けて付勢するように構成されている。
【００３１】
回転操作部材１８は、図２および図５に示すように、ほぼ円筒形状に形成され、その内部に腕時計ケース１の外部に位置する押圧操作部材１７およびガイドパイプ２０が挿入するように構成されている。すなわち、この回転操作部材１８は、図５（ａ）および図５（ｂ）に示すように、その軸方向に貫通する貫通孔３０が形成されている。
【００３２】
この貫通孔３０の外部側（図５（ａ）では右側）の開口には、図２および図５（ａ）に示すように、押圧操作部材１７が貫通孔３０から腕時計ケース１の外部側（図２では右側）に向けて抜け出すのを阻止する抜止め鍔部３１が設けられている。また、この貫通孔３０における内部側（図５（ａ）では左側）に位置する開口の内周面には、ガイドパイプ２０の大径部に設けられた雄ねじ部３２が着脱可能に螺合する雌ねじ部３３が設けられている。
【００３３】
また、この回転操作部材１８の貫通孔３０内には、図２に示すように、連動パイプ３４が嵌め込まれている。この連動パイプ３４は、回転操作部材１８の回転を押圧操作部材１７に伝達するためのものであり、回転操作部材１８の貫通孔３０内に固定されている。この連動パイプ３４の内周面には、図６（ａ）および図６（ｂ）に示すように、凹凸部３４ａが設けられている。これに伴って、押圧操作部材１７の頭部２３には、図３（ｂ）に示すように、連動パイプ３４の凹凸部３４ａに係合する凹凸部３６ａが設けられている。
【００３４】
すなわち、押圧操作部材１７の頭部２３は、図２および図３に示すように、回転操作部材１８の抜止め鍔部３１内に挿入して外部に露出する操作部３５と、抜止め鍔部３１の内壁面に当接するストッパ部３６とを有している。このストッパ部３６は、その外周部に設けられた凹凸部３６ａが連動パイプ３４の凹凸部３４ａに係合することにより、連動パイプ３４内に軸方向に沿ってスライドすると共に、連動パイプ３４と一体的に回転するように構成されている。
【００３５】
これにより、押圧操作部材１７は、図２に示すように、回転操作部材１８の外部に露出した頭部２３の操作部３５が押圧操作されると、ストッパ部３６の凹凸部３６ａが連動パイプ３４の凹凸部３４ａに係合した状態で、連動パイプ３４内を軸方向に沿ってスライドするように構成されている。また、この押圧操作部材１７は、回転操作部材１８の回転操作に伴って連動パイプ３４が回転すると、この連動パイプ３４の凹凸部３４ａにストッパ部３６の凹凸部３６ａが係合していることにより、空転することなく、連動パイプ３４と共に一体的に回転するように構成されている。
【００３６】
また、この押圧操作部材１７は、図２に示すように、コイルばね３７によって回転操作部材１８の貫通孔３０における外端部側（図２では右側）の開口に向けて付勢されている。すなわち、このコイルばね３７は、腕時計ケース１の外部に突出した押圧操作部材１７の軸部２２の外周に配置された状態で、押圧操作部材１７の頭部２３とガイドパイプ２０との間に配置されている。
【００３７】
この場合、コイルばね３７は、その内端部（図２では左端部）がガイドパイプ２０の大径部内に挿入されてガイドパイプ２０の大径部と中間径部との段差部に弾接し、外端部（図２では右端部）が押圧操作部材１７の頭部２３の内面に滑り部材３８を介して弾接するように構成されている。この滑り部材３８は、図２および図７に示すように、円板状のワッシャーであり、フッ素系、ポリエチレン系などの表面摩擦抵抗が小さい滑り性を有する合成樹脂によって形成されている。
【００３８】
これにより、押圧操作部材１７は、図２に示すように、回転操作部材１８の回転操作に伴って連動パイプ３４が回転する際に、コイルばね３７のばね力によって押圧操作部材１７の頭部２３が腕時計ケース１の外部側（図２では右側）に向けて付勢されていても、コイルばね３７の外端部（図２では右端部）が滑り部材３８に弾接した状態で、回転方向に沿って滑ることにより、連動パイプ３４と共に円滑に回転するように構成されている。
【００３９】
ところで、巻真１６は、図２に示すように、時計モジュール４のハウジング５内に配置された箇所の内部側（図２では左側）に磁石４０が設けられ、この磁石４０が巻真１６と共に回転することにより、磁石４０で発生した磁界の変化を磁気センサ４１で検出するほか、図８に示すように、巻真１６の軸方向のスライド位置が位置規制部材４２によって規制されると共に、そのスライド位置に応じてスイッチが切り替わるように構成されている。
【００４０】
すなわち、ハウジング５内に位置する箇所の巻真１６には、図２に示すように、その内端部側（図２では左端部側）から順に、ガイド軸部４３、スライド軸部４４、係合溝部４５が設けられている。ガイド軸部４３は、ハウジング５内に設けられたガイド孔４６内にスライド可能で、且つ回転可能な状態で配置されている。
【００４１】
スライド軸部４４は、断面四角形状の角棒状に形成され、磁石４０が軸方向に沿ってスライド可能に取り付けられていると共に、磁石４０がスライド軸部４４と共に一体的に回転するように構成されている。係合溝部４５は、巻真１６に設けられた環状の凹溝であり、位置規制部材４２の後述するオシドリ４７を巻真１６のスライド動作に応じて回転させるように構成されている。
【００４２】
磁石４０は、図２に示すように、巻真１６のスライド軸部４４にスライド可能に取り付けられた状態で、ハウジング５によって軸方向への移動が規制されている。すなわち、この磁石４０は、巻真１６がスライドしても、スライド軸部４４が磁石４０に対してスライドすることにより、スライド軸部４４の軸方向における位置がハウジング５によって規制されて常に所定位置で回転するように構成されている。
【００４３】
磁気センサ４１は、図２に示すように、ハウジング５の下面に設けられた回路基板１４の上面に磁石４０と対応して設けられている。この磁気センサ４１は、２つの磁気検出素子、例えば磁気抵抗素子（ＭＲ素子：Magneto Resistance 素子）と、その出力をデジタル化するＩＣとを１つのパッケジに収めたものであり、２つの磁気抵抗素子で磁石４０の回転に伴う磁界の変化を検出して、高い（ハイ：Ｈ）、低い（ロウ：Ｌ）の２種類の検出信号を出力するように構成されている。
【００４４】
すなわち、この磁気センサ４１は、２つの磁気抵抗素子の設置位置が異なっていることにより、磁石４０の回転に伴う磁界の変化を検出した際に、出力に位相差が生じ、この位相差によって２種類の検出信号を出力することにより、磁石４０の回転を検出するように構成されている。この場合、回路基板１４に組み付けられたマイコン（図示せず）は、２種類の検出信号を解析して、磁石４０の回転角度（回転量）を算出するように構成されている。
【００４５】
また、この磁気センサ４１は、磁石４０の回転方向（正回転であるか逆回転であるか）を検出すると共に、磁石４０の正回転または逆回転が連続しているか否かをも検出する。これにより、回路基板１４のマイコンは、磁気センサ４１で検出された回転方向の検出信号により、指針６を正方向（時計回り）または逆方向（反時計回り）に回転させると共に、磁気センサ４１で検出された磁石４０の回転が連続しているか否かの検出信号により、回転が連続している場合に、指針６を早送りで正方向（時計回り）または逆方向（反時計回り）に回転させる。
【００４６】
一方、巻真１６を位置規制する位置規制部材４２は、図８に示すように、オシドリ４７、オシドリばね４８、スイッチ板４９、および押え板５０を備えている。オシドリ４７は、図８に示すように、平板状に形成され、ハウジング５に回転可能に取り付けられ、巻真１６の軸方向への移動に応じて回転するように構成されている。すなわち、このオシドリ４７は、ハウジング５に起立して設けられた支持軸５２にハウジング５の面方向に回転可能に取り付けられている。
【００４７】
このオシドリ４７には、図８に示すように、巻真１６の係合溝部４５内に配置される連動アーム部４７ａと、オシドリばね４８によって弾力的に位置規制される連動ピン４７ｂと、スイッチ板４９をオシドリ４７と共に回転させる連結ピン４７ｃとが設けられている。これにより、オシドリ４７は、図８に示すように、巻真１６が軸方向に移動すると、巻真１６の係合溝部４５の移動に伴って連動アーム部４７ａが揺動することにより、支持軸５２を中心に回転するように構成されている。
【００４８】
オシドリばね４８は、図８に示すように、板ばねであり、オシドリ４７の近傍に位置する箇所のハウジング５に固定され、オシドリ４７の連動ピン４７ｂを弾力的に保持して位置規制することにより、オシドリ４７の回動位置を弾力的に規制して巻真１６の軸方向の移動位置を規制するように構成されている。すなわち、このオシドリばね４８は、図８に示すように、その先端部にオシドリ４７の連動ピン４７ｂを弾力的に保持する位置規制部５１が設けられている。
【００４９】
この位置規制部５１には、図８に示すように、連動ピン４７ｂを弾力的に係止する複数の係止凹部５１ａが設けられている。これにより、オシドリばね４８は、図８に示すように、巻真１６が押し込まれた第１の位置（通常運針状態）のときに、オシドリ４７の連動ピン４７ｂを位置規制部５１のいずれかの係止凹部５１ａで弾力的に係止することにより、巻真１６を第１の位置に規制するように構成されている。
【００５０】
また、このオシドリばね４８は、図１２に示すように、巻真１６が軸方向に引き出された第２の位置（時刻修正状態の位置）に移動するときに、オシドリ４７が回転し、その回転に伴って連動ピン４７ｂが回転移動して位置規制部５１を弾性変形させ、この弾性変形した位置規制部５１のいずれかの係止凹部５１ａがオシドリ４７の連動ピン４７ｂを弾力的に係止することにより、巻真１６を第２の位置に規制するように構成されている。
【００５１】
さらに、このオシドリばね４８は、図８に示すように、巻真１６が押し込まれた第１の位置（通常運針状態）から、図１３に示すように、巻真１６が更に押し込まれた第３の位置（他の機能状態）に移動する際に、オシドリ４７の回転に伴って連動ピン４７ｂが回転移動して位置規制部５１を弾性変形させ、この弾性変形した位置規制部５１がオシドリ４７の連動ピン４７ｂを弾力的に係止することにより、巻真１６を第３の位置に規制するように構成されている。
【００５２】
スイッチ板４９は、金属板からなり、図８に示すように、オシドリ４７と共に支持軸５２に回転可能に取り付けられている。このスイッチ板４９には、図８に示すように、回路基板１４の上面に接触して摺動する接触ばね部４９ａが、オシドリ４７の連動アーム部４７ａと反対側に向けて延設されている。このスイッチ板４９の所定箇所には、図８に示すように、オシドリ４７の連結ピン４７ｃが挿入されている。
【００５３】
これにより、スイッチ板４９は、図８に示すように、接触ばね部４９ａの先端部が回路基板１４の上面に接触した状態で、オシドリ４７と共に回転移動し、この接触ばね部４９ａの先端部が回路基板１４の上面に設けられた接点部１４ａ、１４ｂのいずれかに接触することにより、接触位置が切り替わるように構成されている。
【００５４】
すなわち、このスイッチ板４９は、図８に示すように、巻真１６が第１の位置（通常運針状態）に押し込まれてオシドリ４７が回転したときに、このオシドリ４７と共に回転移動し、接触ばね部４９ａが回路基板１４の上面に設けられた接点部１４ａ、１４ｂ間に位置して、その接点部１４ａ、１４ｂのいずれにも接触しないことにより、通常運針モードを維持するように構成されている。
【００５５】
また、このスイッチ板４９は、図１２に示すように、巻真１６が第２の位置（時刻修正状態）に引き出されてオシドリ４７が回転したときに、このオシドリ４７と共に回転移動し、接触ばね部４９ａが回路基板１４の上面に設けられた１つの接点部１４ａに接触することにより、通常運針モードから時刻修正モードに切り替えるように構成されている。
【００５６】
さらに、このスイッチ板４９は、図１３に示すように、巻真１６が第３の位置（他の機能状態）に押し込まれてオシドリ４７が回転したときに、このオシドリ４７と共に回転移動し、接触ばね部４９ａが回路基板１４の上面に設けられた他の接点部１４ｂに接触することにより、通常運針モードから他の機能モードに切り替えるように構成されている。
【００５７】
なお、押え板５０は、図８に示すように、オシドリばね４８と共にハウジング５にねじ５０ａによって取り付けられて、オシドリばね４８およびスイッチ板４９を押え付けることにより、オシドリ４７をハウジング５に対して押えるように構成されている。
【００５８】
次に、この電子腕時計におけるスイッチ装置７の作用について説明する。
まず、スイッチ装置７の回転操作部材１８を操作しない通常運針状態について説明する。この通常運針状態では、図２に示すように、回転操作部材１８が腕時計ケース１に向けて押し込まれ、回転操作部材１８の雌ねじ部３３がガイドパイプ２０の大径部の雄ねじ部３２に螺着してロックされている。
【００５９】
このため、押圧操作部材１７は、図２に示すように、その頭部２３に設けられたストッパ部３６が、回転操作部材１８の抜止め鍔部３１に当接することにより、この回転操作部材１８の抜止め鍔部３１によって押圧操作部材１７の頭部２３が、滑り部材３８を介してコイルばね３７を圧縮させた状態で、腕時計ケース１の内部側に向けて押し込まれている。このため、押圧操作部材１７は、その軸部２２がガイドパイプ２０内における腕時計ケース１の内部側に向けて押し込まれている。
【００６０】
また、この状態では、図８に示すように、巻真１６が位置規制部材４２のオシドリ４７によって第１の位置（通常運針状態）に位置規制されていると共に、この位置規制部材４２のスイッチ板４９が回路基板１４の接点部１４ａ、１４ｂ間に位置して、そのいずれも接触しないオフ状態になっている。
【００６１】
このため、巻真１６に連結された連結部材２１の四角形状のガイド板２６は、押圧操作部材１７の軸部２２に設けられた断面円形状の第２ガイド孔２２ｂ内の補助コイルばね２９を圧縮させた状態で、押圧操作部材１７の軸部２２に設けられた断面四角形状の第１ガイド孔２２ａ内における外端部側（図２では右端部側）に位置する内面に当接している。
【００６２】
すなわち、巻真１６が位置規制部材４２によって第１の位置（通常運針状態）に位置規制されていることにより、この巻真１６に連結された連結部材２１の四角形状のガイド板２６は、押圧操作部材１７の軸部２２に設けられた断面四角形状の第１ガイド孔２２ａ内を補助コイルばね２９のばね力に抗して相対的にスライドし、連結部材２１のガイド軸２７が押圧操作部材１７の第２ガイド孔２２ｂ内を相対的にスライドすることにより、巻真１６および連結部材２１がスライドせずに、補助コイルばね２９を圧縮させる。
【００６３】
次に、巻真１６を回転させて時刻を修正する場合について説明する。
この場合には、まず、図９に示すように、回転操作部材１８を回転させて、ガイドパイプ２０の大径部の雄ねじ部３２に対する回転操作部材１８の雌ねじ部３３の螺着を解除する。このときには、回転操作部材１８がそのロックを解除する回転操作に伴って腕時計ケース１から離れる方向（図９では右側）に移動するので、この回転操作部材１８の移動に伴って押圧操作部材１７がコイルばね３７のばね力によって押し出されることにより、回転操作部材１８と同じ方向にスライドする。
【００６４】
また、このときには、押圧操作部材１７の第２ガイド孔２２ｂ内に配置された補助コイルばね２９が押圧操作部材１７のスライドに応じて伸びるので、連動部材２１は押圧操作部材１７と共にスライドしない。すなわち、押圧操作部材１７が回転操作部材１８の移動に伴って押し出される方向にスライドするときには、連結部材２１の四角形状のガイド板２６が押圧操作部材１７の軸部２２に設けられた断面四角形状の第１ガイド孔２２ａ内を相対的にスライドする。
【００６５】
このため、押圧操作部材１７は、その軸部２２に設けられた抜止め突起１７ａが連結部材２１の四角形状のガイド板２６にワッシャー２８を介して接近する。これにより、連結部材２１はスライドせず、巻真１６もスライドすることがない。このため、巻真１６は位置規制部材４２によって第１の位置（通常運針状態）に位置規制され、この位置規制部材４２のスイッチ板４９が回路基板１４の接点部１４ａ、１４ｂ間に位置して、そのいずれも接触しないオフ状態を維持する。
【００６６】
また、このときには、回転操作部材１８が回転すると、その回転に伴って押圧操作部材１７が回転すると共に、連動部材２１が回転するので、巻真１６も回転する。このため、巻真１６に設けられた磁石４０が回転する。しかし、このときには、スイッチ板４９がオフ状態であるから、磁気センサ４１は磁石４０の磁界を検出することはない。
【００６７】
この状態で、図１０に示すように、回転操作部材１８を腕時計ケース１から離れる方向（図１０では右側）に更に引き出すと、この回転操作部材１８の移動に伴って押圧操作部材１７がコイルばね３７のばね力によって押し出されることにより、回転操作部材１８と共に同じ方向にスライドする。
【００６８】
このときには、押圧操作部材１７の軸部２２に設けられた抜止め突起１７ａに、巻真１６に連結された連結部材２１の四角形状のガイド板２６が当接することにより、押圧操作部材１７のスライド動作に伴って連結部材２１が引き出される方向（図１０では右側）に向けてスライドして巻真１６を引き出す方向にスライドさせる。
【００６９】
すると、図１２に示すように、巻真１６の係合溝部４５に係合している位置規制部材４２のオシドリ４７が、巻真１６のスライドに伴って回転し、スイッチ板４９を回転させて、スイッチ板４９の接触ばね部４９ａを１つの接点部１４ａに接触させる。これにより、スイッチがオン状態になり、モードが通常運針モードから時刻修正モードに切り替わる。このため、磁気センサ４１がオンして巻真１６に設けられた磁石４０の磁界を検出可能な状態になる。
【００７０】
この状態で、回転操作部材１８を回転させると、これに伴って押圧操作部材１７が回転し、この押圧操作部材１７の回転が連結部材２１のガイド板２６に伝わり、この連結部材２１が押圧操作部材１７と共に回転し、この連結部材２１の回転によって巻真１６が回転する。すると、巻真１６と共に磁石４０が回転するので、この磁石４０の回転に伴う磁界の変化を磁気センサ４１で検出し、その検出結果に基づいて指針６を運針させて時刻を修正する。
【００７１】
この状態のときに、押圧操作部材１７を外部から押圧操作しても、スイッチ板４９は動作せず、スイッチが切り替わることはない。すなわち、回転操作部材１８の回転操作中に誤って押圧操作部材１７を外部から押圧操作した際には、巻真１６に連結された連結部材２１の四角形状のガイド板２６が、押圧操作部材１７の軸部２２に設けられた断面四角形状の第１ガイド孔２２ａ内を相対的にスライドして、押圧操作部材１７の軸部２２に設けられた抜止め突起１７ａが連結部材２１の四角形状のガイド板２６から離れる。
【００７２】
このため、連結部材２１はスライドせず、巻真１６もスライドすることがないので、図１２に示すように、巻真１６は位置規制部材４２によって第２の位置（時刻修正状態）に規制された状態を維持すると共に、スイッチ板４９の接触ばね部４９ａが回路基板１４の１つの接点部１４ａに接触したオン状態を維持する。
【００７３】
次に、このスイッチ装置７の押圧操作部材１７を押圧操作して他の機能に切り替え、指針６の機能針６ｄを運針させる場合について説明する。
この場合には、図２に示したように、スイッチ装置７の回転操作部材１８が操作できない通常運針状態にロックする。すなわち、回転操作部材１８を腕時計ケース１側に押し込んで、回転操作部材１８の雌ねじ部３３をガイドパイプ２０の大径部の雄ねじ部３２に螺着させてロックする。
【００７４】
この状態では、巻真１６が位置規制部材４２のオシドリ４７によって第１の位置（通常運針状態）に位置規制され、この位置規制部材４２のスイッチ板４９が回路基板１４の接点部１４ａ、１４ｂ間に位置して、そのいずれも接触しないオフ状態になる。また、このときには、押圧操作部材１７の頭部２３に設けられたストッパ部３６がコイルばね３７のばね力によって回転操作部材１８の抜止め鍔部３１に当接すると共に、巻真１６に連結された連結部材２１の四角形状のガイド板２６が、押圧操作部材１７の軸部２２に設けられた断面四角形状の第１ガイド孔２２ａ内における内面に当接した状態になる。
【００７５】
このような通常運針状態において、押圧操作部材１７が外部から押圧操作されると、図１１に示すように、押圧操作部材１７がコイルばね３７のばね力に抗して腕時計ケース１の内部側（図１１では左側）に向けてスライドする。すると、押圧操作部材１７の第１ガイド孔２２ａ内における内面が連結部材２１の四角形状のガイド板２６を押圧するので、押圧操作部材１７のスライドに伴って連結部材２１が腕時計ケース１の内部側に向けてスライドし、この連結部材２１によって巻真１６が押し込まれる。
【００７６】
すると、巻真１６の係合溝部４５に係合している位置規制部材４２のオシドリ４７が、巻真１６のスライドに伴って回転し、スイッチ板４９を回転させる。このため、図１３に示すように、スイッチ板４９の接触ばね部４９ａが他の接点部１４ｂに接触してオン状態になり、スイッチが通常運針モードから他の機能モードに切り替わる。このため、磁気センサ４１がオンして巻真１６に設けられた磁石４０の磁界を検出可能な状態になる。
【００７７】
この状態で、回転操作部材１８を回転させると、これに伴って押圧操作部材１７が回転し、この押圧操作部材１７の回転が連結部材２１のガイド板２６に伝わり、この連結部材２１が押圧操作部材１７と共に回転し、この連結部材２１の回転によって巻真１６が回転する。すると、巻真１６と共に磁石４０が回転するので、この磁石４０の回転に伴う磁界の変化を磁気センサ４１で検出する。このときには、その検出結果に基づいて他の機能モードである指針６の機能針６ｄを運針させる。
【００７８】
このように、この電子腕時計のスイッチ装置７によれば、軸方向に貫通孔３０が形成された回転操作部材１８と、この回転操作部材１８の貫通孔３０内に移動可能で、貫通孔３０の一方の開口である外端部側から押圧操作可能で、且つ貫通孔３０の外端部側から抜け出さないように設けられていると共に、回転操作部材１８を回転させた際に回転操作部材１８と共に一体的に回転する押圧操作部材１７と、回転操作部材１８の貫通孔３０内に配置され、押圧操作部材１７を外端部側に向けて付勢するコイルばね３７と、を備えているので、回転操作部材１８のスライド動作に応じて押圧操作部材１７を間欠的に連動させてスライドさせることができる。
【００７９】
すなわち、このスイッチ装置７では、回転操作部材１８を引き出した際に、コイルばね３７のばね力によって押圧操作部材１７を回転操作部材１８の引出し操作に連動させてスライドさせることができるので、押圧操作部１７が回転操作部材１８内に沈み込まないようにすることができ、これによりスイッチ装置７として、違和感が生じることがなく、デザイン的に好ましいものを得ることができる。
【００８０】
また、このスイッチ装置７によれば、滑り部材３８が、コイルばね３７における外端部側に位置する端部および内端部側に位置する端部のうち、外端部側に位置する端部が当接する箇所である押圧操作部材１７の頭部２３における内面に設けられ、回転操作部材１８を回転させた際に、滑り部材３８がコイルばね３７を回転方向に滑らせる構成であるから、回転操作部材１８と共に回転する押圧操作部材１７がコイルばね３７のばね力によって回転操作部材１８の外端部側に向けて付勢されていても、コイルばね３７が滑り部材３８によって回転方向に沿って滑ることにより、回転操作部材１８を回転操作する際に、回転操作部材１８を押圧操作部材１７と共に円滑に回転させることができる。このため、コイルばね３７を備えていても、回転操作性が良く、回転操作部材１８および押圧操作部材１７を円滑に回転させることができる。
【００８１】
さらに、このスイッチ装置７によれば、押圧操作部材１７と機能操作部材である巻真１６とを間欠的に連結する連結部材２１を備えており、この連結部材２１は、押圧操作部材１７が回転操作部材１８と共に外端部側に向けてスライドする際に、押圧操作部材１７のスライド距離が予め定められた距離に到達するまでは連動せず、スライド距離が予め定められた距離に到達した後に連動して巻真１６をスライドさせ、この状態で押圧操作部材１７が押圧操作された際に、この押圧操作部材１７と連動してスライドしない構成であるから、回転操作部材１８を引き出した時刻修正状態で回転操作させて時刻を修正している際に、誤って押圧操作部材１７を押圧操作しても、連結部材２１が巻真１６をスライドさせることがなく、スイッチを不用意に切り替えてしまうのを防ぐことができる。
【００８２】
また、この連結部材２１は、押圧操作部材１７が回転操作部材１８によって内端部側に向けて押し込まれた通常運針状態のときに、押圧操作部材１７の押圧操作に連動して巻真１６をスライドさせる構成であるから、押圧操作部材１７が回転操作部材１８によって内端部側に向けて押し込まれた通常運針状態で、押圧操作部材１７を押圧操作すると、巻真１６がスライドして、通常運針モードから他の機能モードに確実に且つ良好に切り替えることができる。
【００８３】
なお、上述した実施形態では、コイルばね３７の外端部側が対応する押圧操作部材１７における頭部２３の内面に滑り部材３８を配置した場合について述べたが、これに限らず、コイルばね３７の内端部側が対応するガイドパイプ２０における大径部と中間径部との段差部に滑り部材３８を配置しても良い。また、これに限らず、滑り部材３８は、コイルばね３７の外端部側が対応する押圧操作部材１７における頭部２３の内面と、コイルばね３７の内端部側が対応するガイドパイプ２０の段差部との両方に配置しても良い。
【００８４】
また、上述した実施形態では、コイルばね３７の外端部側が対応する押圧操作部材１７における頭部２３の内面にワッシャー形状の滑り部材３８を配置した場合について述べたが、滑り部材３８は必ずしもワッシャー形状である必要はなく、例えば、コイルばね３７の外端部側が対応する押圧操作部材１７における頭部２３の内面に設けられたテフロン（登録商標）層やめっき層などの摩擦抵抗の小さい表面処理層であっても良い。
【００８５】
この場合にも、表面処理層は、コイルばね３７の内端部側が対応するガイドパイプ２０における大径部と中間径部との段差部に設けた構成でも良く、またコイルばね３７の外端部側が対応する押圧操作部材１７の頭部２３の内面と、コイルばね３７の内端部側が対応するガイドパイプ２０の段差部との両方に設けた構成であっても良い。
【００８６】
さらに、上述した実施形態では、コイルばね３７の外端部側が対応する押圧操作部材１７における頭部２３の内面に滑り部材３８を配置した場合について述べたが、必ずしも滑り部材３８を設ける必要はなく、例えばコイルばね３７の内端部側が対応する受け部材であるガイドパイプ２０を、コイルばね３７の外端部側が対応する押圧操作部材１７の摩擦係数よりも小さい摩擦係数を有するフッ素系やポリエチレン系などの滑り性を有する合成樹脂で形成しても良い。また、これに限らず、コイルばね３７の外端部側が対応する押圧操作部材１７も、摩擦係数の小さいフッ素系やポリエチレン系などの滑り性を有する合成樹脂で形成しても良い。
【００８７】
なおまた、上述した実施形態およびその各変形例では、指針式の電子腕時計に適用した場合について述べたが、必ずしも電子腕時計である必要はなく、例えばトラベルウオッチ、目覚まし時計、置き時計、掛け時計などの各種の指針式の電子時計に広く適用することができる。
【符号の説明】
【００８８】
１  腕時計ケース
４  時計モジュール
５  ハウジング
６  指針
７  スイッチ装置
１６  巻真
１７  押圧操作部材
１７ａ  抜止め突起
１８  回転操作部材
２０  ガイドパイプ
２１  連結部材
２２  押圧操作部材の軸部
２２ａ  第１ガイド孔
２２ｂ  第２ガイド孔
２３  押圧操作部材の頭部
２５  連結部材の円筒部
２６  連結部材のガイド板
２７  連結部材のガイド軸
３０  回転操作部材の貫通孔
３１  抜止め鍔部
３４  連動パイプ
３５  押圧操作部材の操作部
３６  押圧操作部材のストッパ部
３７  コイルばね
３８  滑り部材
４０  磁石
４１  磁気センサ
４２  位置規制部材
【図１】
0005467511.tif 000002
【図２】
0005467511.tif 000003
【図３】
0005467511.tif 000004
【図４】
0005467511.tif 000005
【図５】
0005467511.tif 000006
【図６】
0005467511.tif 000007
【図７】
0005467511.tif 000008
【図８】
0005467511.tif 000009
【図９】
0005467511.tif 000010
【図１０】
0005467511.tif 000011
【図１１】
0005467511.tif 000012
【図１２】
0005467511.tif 000013
【図１３】
0005467511.tif 000014